(57)【要約】      （修正有）【課題】鉄筋コンクリート構造に良好な耐震強度を形成し、コンクリートが剥落して鋼鉄構造主体が侵食して傷つくのを防止し、外層コンクリートの剥落に依る事故を回避する耐震性鉄筋コンクリート構造を提供する。【解決手段】耐震性鉄筋コンクリート構造は、主に鋼鉄構造主体１に相対して鋼鉄板外フレーム２で覆い、及びコンクリートを充填して鋼鉄板外フレーム２内と鋼鉄構造主体１、鉄筋条４及び鋼鉄板外フレーム２で相互に噛み合う。鋼鉄構造主体１の間は鉄筋条４で相互に掛合編み織りして網状にする。更に鋼鉄板外フレーム２と鋼鉄構造主体１の間を掛合条５で連接し、コンクリートが充填された時、相互に噛み合い、更に鋼鉄構造主体１、鋼鉄板外フレーム２とコンクリートがしっかりと結合する構造を構成する。【選択図】図２
0003143805.tif 000002
【実用新案登録請求の範囲】
【請求項１】
耐震性鉄筋コンクリート構造において、少なくとも鉄筋条で相互に掛合編み織りして網状を形成する一鋼鉄構造主体と、
鋼鉄構造主体で相対して覆う外層の間には一隙間を形成する一鋼鉄板外フレームと、
鋼鉄外フレーム内、鋼鉄構造主体、鉄筋条および鋼鉄外フレームに充填して相互に噛み合うコンクリートを含むことを特徴とする耐震性鉄筋コンクリート構造。
【請求項２】
前記鋼鉄構造主体は、鉄筋で、各鋼鉄板と鋼鉄構造主体の間を掛合条で連接することを特徴とする請求項１記載の耐震性鉄筋コンクリート構造。
【請求項３】
前記鋼鉄構造主体は、鉄骨で、該鉄骨は少なくとも両板体を含み、該板体両側には複数の翼板を設置し、翼板上には複数の穿孔を設置して、そこに鉄筋条を掛合して固定することを特徴とする請求項１記載の耐震性鉄筋コンクリート構造。
【請求項４】
前記鋼鉄板外フレームは、更に凹凸部を具えることを特徴とする請求項１記載の耐震性鉄筋コンクリート構造。
【考案の詳細な説明】
【技術分野】
【０００１】
本考案は、耐震性鉄筋コンクリート構造に関するもので、特に耐震強度が高く、更に外層コンクリートの剥落に依る事故を有効に回避する耐震性鉄筋コンクリート構造に係る。
【背景技術】
【０００２】
図１は、一般の公知建築物柱体コンクリートの基本組成構造指示図である。そのコンクリート主体９は、主に鉄筋骨フレーム９１及び流し込み方式で鉄筋骨フレーム９１の外周囲を覆うコンクリート９２と言う二種の性質が完全に異なる材料を凝結させて丈夫な非均質構材にする。そのうち，コンクリート９２の構成は実に幅広く、基本的にセメント(ポルトランドセメント、耐硫酸塩セメント等を含む)，砂及び砂利の骨材等合わせ、必要に応じて添加するその他材料(例としてフライアッシュ、スーパー可塑剤及び凝固剤等)を含む。
【０００３】
異なる材料で構成されたコンクリートは、異なる機能を生み出し、各種の特定用途で使用される。更に鉄筋骨フレーム９１は、コンクリート９２の締め付け効果によって構造の強靭性及びエネルギーの吸收、発散能力を高め、更に外層コンクリート９２が剥落した後もその柱心（鉄筋骨フレーム９１）は締め付け効果を維持する。しかしながら、地震が発生した場合、引張応力がコンクリートの引張強度を超えると、コンクリートは破裂する。初めの破裂線が短く小さくてもその後、徐々に拡大して梁柱断面内部に浸入する。そしてコンクリート建築物が地震の破壊に遭うと、その損壊程度と範囲は建築物の全部もしくは局部に及ぶ。
【０００４】
特にコンクリート主体に破裂が発生すると、通常先ず鉄筋骨フレーム全体の外層であるコンクリートから剥落し始め、仮に該剥落が発生したコンクリート主体が建築物の高位置もしくはビル層板である場合、該コンクリート主体の下方の人もしくは設備は，直接コンクリートの塊が落ちてきて怪我をしたり、壊れたりする可能性がある。
【０００５】
更に一般の公知の建築物の鉄筋骨フレームとその外層のコンクリートは、気候の影響を受けるため、熱膨張冷却収縮もしくは軽微の地震発生の後、空洞層もしくはひび割れ跡を発生しやすく、外部の空気がコンクリート内、場合によっては鉄筋骨フレーム箇所まで深く入り込み、ゆっくりと鉄筋骨フレームが侵食されて傷んでしまう。これは建築物が壊れる第一歩であり、更に大きな地震が発生した時、更に大きな災害になる可能性がある。
【考案の開示】
【考案が解決しようとする課題】
【０００６】
解決しようとする問題点は、鉄筋構造の耐震強度が不足するため、コンクリートが剥落し、それによって内部の鉄筋が侵食され、建築物を傷め、地震が発生した時には大きな災害の可能性がある点である。
【課題を解決するための手段】
【０００７】
本考案は、主に鋼鉄構造主体に相対して鋼鉄板外フレームで覆い、及びコンクリートを充填して鋼鉄板外フレーム内と鋼鉄構造主体、鉄筋条及び鋼鉄板外フレームで相互に噛み合う。鋼鉄構造主体の間は鉄筋条で相互に掛合編み織りして網状にする。更に鋼鉄板外フレームと鋼鉄構造主体の間を掛合条で連接し、コンクリートが充填された時、相互に噛み合い、更に鋼鉄構造主体、鋼鉄板外フレームとコンクリートがしっかりと結合する構造を構成し、鉄筋コンクリート構造に良好な耐震強度を形成し、コンクリートが剥落して鋼鉄構造主体が侵食して傷つくのを防止し、外層コンクリートの剥落に依る事故を回避することを最も主要な特徴とする。
【考案の効果】
【０００８】
本考案の耐震性鉄筋コンクリート構造は、公知と比較して下述の利点がある。
１、鉄筋コンクリート構造の耐震強度を有効に高める。
２、該鋼鉄板外フレームはコンクリートを流し込んだ後、鋼鉄構造主体、鉄筋条としっかり結合し、鉄筋コンクリート構造の耐震構造を事前に強化し、事後の補強構造ではない。また折曲手段により、鉄筋コンクリート構造は地震によって破壊されるのを防止する。
３、鋼鉄構造主体外層で覆う鋼鉄板外フレームは、コンクリート塊が脱落するのを防止し、外層コンクリートの剥落に依る事故を有効に回避する。
４、コンクリートの熱膨張冷却収縮もしくは輕微の地震発生後に起こる空洞層もしくはひび割れによる鉄骨構造骨フレームの侵食破壊を防止する。
【考案を実施するための最良の形態】
【０００９】
良好な耐震強度を具え、外層コンクリート剥落を防止し、特に建築物の梁、柱に適用する耐震性鉄筋コンクリート構造を提供することを本考案の主な目的とする。
【００１０】
上述の目的のため、鉄筋コンクリート構造全体は、主に鋼鉄構造主体に相対する外層を鋼鉄板外フレームで覆い、鋼鉄板外フレーム内と鋼鉄構造主体にコンクリートを充填し、鉄筋条及び鋼鉄板外フレームが相互に噛み合う。この鋼鉄板外フレームは複数片の鋼鉄構造主体外層に対応する鋼鉄板から構成され、該鋼鉄板外フレームは凹凸部を具え、鋼鉄構造主体の各板体間は鉄筋条で相互に掛合して編み織りして網状に形成され、且つ各鋼鉄板外フレームと鋼鉄構造主体の間に掛合条を連接してコンクリートを充填すると、相互に噛み合う。
【００１１】
これらにより、鋼鉄構造主体、鋼鉄板外フレームとコンクリートがしっかりと結合する構造は、鉄筋コンクリート構造全体が良好な耐震強度を具え、防止コンクリートが壊れたことによって鋼鉄構造主体が侵食されて悪くなるのを防止し、及び外層コンクリートの剥落に依る事故を有効に回避する。
【実施例１】
【００１２】
本考案の特徴を図式及び実施例を挙げて詳述する。
本考案は、良好な耐震強度を具え、コンクリートが損壊したことによって鋼鉄構造主体の侵食破壊が進むことを防止し、外層コンクリート剥落を有効に防止し、特に建築物の梁、柱の耐震性に適用する鉄筋コンクリート構造を提供する。図２及び図３に示すのは、建築物の梁、柱に運用する鉄筋コンクリート構造立体図及び断面図であり、耐震性鉄筋コンクリート構造は主に一鋼鉄構造主体１、一鋼鉄板外フレーム２及びコンクリート３を含む。そのうち：
【００１３】
該鋼鉄構造主体１は、同時に図５に示す本実施例に於いて、該鋼鉄構造主体１は鉄骨Ａを例とする。それは少なくとも両板体１１を具え、板体１１両側には複数の翼板１２を設置する。また鋼鉄構造主体１上には平均して複数の穿孔１３を穿設する。更に第六図に示すとおり、各板体１１の間には鉄筋条４（本実施例の鉄筋条は扁平鉄形式であるが、勿論円鉄形式でもよい）を相互に穿孔１３の中に入れて掛合網織りで網状にして鋼鉄構造主体１全体を強固にし、更にコンクリート３に良好な噛み合わせ能力を提供し、同時に鋼鉄構造主体１上に設置した穿孔１３がコンクリート３の更に良好な噛み合わせ力を提供する。
【００１４】
鋼鉄板外フレーム２は、鋼鉄構造主体１的外層で相対して被せ、更にその形成された隙間にコンクリート３を充填する。また該鋼鉄板外フレーム２は一片の鋼鉄板で折曲して成型するか、もしくは図に示すとおり、鋼鉄構造主体１外層で複数片を相対して被せる鋼鉄板２１から構成され（本実施例では四片の鋼鉄板から構成される）、且つこれらの鋼鉄板２１は噛み合わせ効果を具えた凹凸部２２を具え、本実施例に於いて、これらの凹凸部２２は鳩の尾形状で、その中でコンクリート３がしっかりと噛み合う。勿論、これらの鋼鉄板２１は図４に示す平直状でも同様に覆う効果を具える。
【００１５】
他に図２、図３及び図７に示すとおり、該鋼鉄板外フレーム２の板面上に鉤孔２３を設置する。鋼鉄構造主体１もまた複数の穿孔１３を具え、更に掛合条５で各鋼鉄板外フレームの鉤孔２３と鋼鉄構造主体１の穿孔１３間に連接し、鋼鉄構造主体、鋼鉄板外フレームとコンクリートが合わさってしっかりと結合した構造となり、鉄骨コンクリート構造全体に良好な耐震強度を与える。
【００１６】
上述のしっかりと結合された鋼鉄構造主体１、鉄筋条４、掛合条５及び鋼鉄板外フレーム２から構成されて結合する構造により、互いに噛み合い、コンクリート３が流し込み方式で鋼鉄板外フレーム２内に充填されると、これらの構造と相互に噛み合い、更に鉄骨コンクリート構造全体に良好な耐震強度を与え、コンクリート３が破壊されたことに依る鋼鉄構造主体１の侵食破壊を防止し、鋼鉄板外フレーム２の包装特性によって、地震の時に外層コンクリート３が剥落して事故が起こるのを回避する。
【００１７】
勿論、掛合条５を固定した鉤孔２３は、図８に示すとおり、直接鋼鉄板２１の板面上に設置してもよい。もしくは図７に示すように先ず鋼鉄板２１の特定位置に鉤孔２３を具えた組立板２４を溶接してもよい。
【００１８】
該鋼鉄構造主体１は図５に示すとおり、二片の板体１１（俗に“工”の字鉄鋼）を具えるか、もしくは図９から図１１に示すように四片の板体１１（俗に“田”の字鉄鋼）を具える。
【００１９】
また図５に示すとおり、板体１１両側の複数片の翼板１２は間隔開けて、反対方向に設置する。間隔を開ける設置は、構造を強化する長所を具え、反対方向の設置は噛み合わせが良好という長所を具える。勿論、図９に示すとおり、複数片の翼板１２は間隔が開き、同方向の設置や、もしくは同方向一体整片式でも構造を強化し、良好な噛み合わせの長所を具える。
【００２０】
勿論、上述に示すように各板体１１間の鉄筋条４はその上に設置した翼板１２の複数の穿孔１３内に差し込んで固定し、また図１２に示すとおり、各板体１１両側に複数のネジ１４を設置し、鉄筋条４は複数のネジ１４の間に差し込むことで、簡単な方法で翼板１２の設置の代替とする。
【００２１】
上述の実施方式に於ける鋼鉄構造主体１を鉄骨Ａとする例の他に、図１３及び図１４に於ける鋼鉄構造主体１を鉄筋Ｂとする例でもよい。それは鉄筋条４を相互に編み織りして網状に形成し、同様に鋼鉄構造主体１の外層を一鋼鉄板外フレーム２で覆い、鋼鉄構造主体１との間に一隙間を形成する。別に鋼鉄板外フレーム２と鋼鉄構造主体１の間は、掛合条５で連接して固定し、コンクリート３を鋼鉄板外フレーム２内に充填し、鋼鉄構造主体１、鉄筋条４及び鋼鉄板外フレーム２を相互に噛み合わせ、鋼鉄構造主体１、鋼鉄板外フレーム２とコンクリート３でしっかりと結合する構造である。
【００２２】
コンクリートが凝結すると、鉄筋コンクリート構造全体の耐震強度が向上する。由於該鋼鉄板外フレーム構造によって、鉄筋コンクリート構造の耐震能力を強化し、事後的補強構造ではないため、積極的手段によって降低鉄筋コンクリート構造が地震によって破壞するのを防止し、特に鋼鉄構造主体外層を覆う鋼鉄板外フレームは破裂したコンクリート塊の脱落を防止し、外層コンクリート剥落に依る事故を有効に回避し、更にコンクリートの熱膨張冷却収縮もしくは輕微の地震発生に依る事後の空洞層の発生もしくは破裂した事による鉄骨構造の骨フレーム侵食殷損を防止して建築物の梁、柱構造に適用される。
【００２３】
本考案の技術内容及び技術特徴は上述のとおりであるが、本考案に習熟した下者が本考案に基づき各種の本考案精神から乖離しない入れ替え及び修飾をする可能性もある。そのため、本考案の保護範囲は実施例に制限されることなく、各種の本考案に乖離しない替換及び修飾を含み、請求範囲に属するものとする。
【図面の簡単な説明】
【００２４】
【図１】公知建築物コンクリート主体の構造指示図である。
【図２】本考案の第一実施例の構造立体図である。
【図３】本考案の第一実施例の構造断面図である。
【図４】本考案の第二実施例の構造断面図である。
【図５】本考案の第一実施例の鋼鉄構造主体の構造指示図である。
【図６】本考案の第一実施例の鋼鉄構造主体に鉄筋条を結合する構造指示図である。
【図７】本考案の第一実施例の掛合条を固定した構造指示図である。
【図８】本考案の第三実施例の掛合条を固定した構造指示図である。
【図９】本考案の第四実施例の鋼鉄構造主体の構造指示図である。
【図１０】本考案の第四実施例の鉄構造主体に鉄筋条を結合する構造指示図である。
【図１１】本考案の第四実施例の構造立体図である。
【図１２】本考案の第五実施例の鋼鉄構造主体に鉄筋条を結合する構造指示図である。
【図１３】本考案の第六実施例の構造分解図である。
【図１４】本考案の第六実施例の構造断面図である。
【符号の説明】
【００２５】
Ａ        鉄骨
Ｂ        鉄筋
１        鋼鉄構造主体
１１      板体
１２      翼板
１３      穿孔
１４      ネジ
２        鋼鉄板外フレーム
２１      鋼鉄板
２２      凹凸部
２３      鉤孔
２４      組立板
３        コンクリート
４        鉄筋条
５        掛合条
９        コンクリート主体
９１      鉄筋骨フレーム
９２      コンクリート
【図１】
0003143805.tif 000003
【図２】
0003143805.tif 000004
【図３】
0003143805.tif 000005
【図４】
0003143805.tif 000006
【図５】
0003143805.tif 000007
【図６】
0003143805.tif 000008
【図７】
0003143805.tif 000009
【図８】
0003143805.tif 000010
【図９】
0003143805.tif 000011
【図１０】
0003143805.tif 000012
【図１１】
0003143805.tif 000013
【図１２】
0003143805.tif 000014
【図１３】
0003143805.tif 000015
【図１４】
0003143805.tif 000016